(57)【要約】【目的】  適度に抵抗がある開閉動作機能を備える蝶番を提供する。【構成】  軸受けが軸の両端と固着する第１軸受け１を設け、軸受けが軸と乖離する第２軸受け２を設けて第１軸受け１及び第２軸受け２が組み合う様にし、軸３が第１軸受け１及び第２軸受け２を貫通する蝶番４は第１軸受け１側の第１平板５及び、第２軸受け２側の第２平板６を構成し、第１平板５と第２軸受け２の間に生じる隙間７に第１平板５の裏側から挿入される交換パッド８を設け、交換パッド８と繋がる板バネ９を設け、第１平板５及び板バネ９が密着することで交換パッド８が第２軸受け２を加圧する様にする。【選択図】図１
2008297893.tif 000002
【特許請求の範囲】
【請求項１】
軸受けが軸の両端と固着する第１軸受け（１）を設け、軸受けが軸と乖離する第２軸受け（２）を設けて第１軸受け（１）及び第２軸受け（２）が組み合う様にし、軸（３）が第１軸受け（１）及び第２軸受け（２）を貫通する蝶番（４）は第１軸受け（１）側の第１平板（５）及び、第２軸受け（２）側の第２平板（６）を構成し、第１平板（５）と第２軸受け（２）の間に生じる隙間（７）に第１平板（５）の裏側から挿入される交換パッド（８）を設け、交換パッド（８）と繋がる板バネ（９）を設け、第１平板（５）及び板バネ（９）が密着することで交換パッド（８）が第２軸受け（２）を加圧する様にした蝶番。
【発明の詳細な説明】
【技術分野】
【０００１】  本発明は蝶番に設ける部材に関するものである。
【背景技術】
【０００２】  蝶番は軸が軸受けを貫通する構成により軸受けが回転することで蓋を円滑に開閉することができる。
【発明が解決しようとする課題】
【０００３】  蝶番が円滑に動作することは不可欠な前提条件である。但し、蓋が軽快に開閉することで蓋が蓋との契合関係にある物体との衝突による衝突音や損傷、或いは風力の影響を被ることによる損傷の懸念がある。本発明は適度に抵抗がある開閉動作機能を備える蝶番を提供するものである。
【課題を解決するための手段】
【０００４】  軸受けが軸の両端と固着する第１軸受け１を設け、軸受けが軸と乖離する第２軸受け２を設けて第１軸受け１及び第２軸受け２が組み合う様にし、軸３が第１軸受け１及び第２軸受け２を貫通する蝶番４は第１軸受け１側の第１平板５及び、第２軸受け２側の第２平板６を構成し、第１平板５と第２軸受け２の間に生じる隙間７に第１平板５の裏側から挿入される交換パッド８を設け、交換パッド８と繋がる板バネ９を設け、第１平板５及び板バネ９が密着することで交換パッド８が第２軸受け２を加圧する様にする。
【発明を実施するための最良の形態】
【０００５】  図１においては蝶番４の下に交換パッド８及び、交換パッド８と繋がる板バネ９が表記されている。つまり、表記の位置状況から交換パッド８及び、交換パッド８と繋がる板バネ９は第１平板５の裏側に移行し、その後において交換パッド８を第１平板５と第２軸受け２の間に生じる隙間７に第１平板５の裏側から挿入する様にする。なお、交換パッド８は消耗品として捉えることが適切であることから交換パッド８と命名するものである。
又、図２は交換パッド８及び板バネ９の蝶番４への装着過程を（ａ）、（ｂ）の２過程により示すものである。交換パッド８を第２軸受け２の外周に沿って隙間７に導入するが、交換パッド８は第２軸受け２の外周に沿える円弧形状を成すために導入を容易に行うことができる。そして交換パッド８の導入の末に（ａ）に示す様に交換パッド８を第２軸受け２の外周に沿って隙間７に挿入することになる。なお、交換パッド８の挿入後における板バネ９が第１平板５に対して狭角の角度を成す様に予め成型しておく。
そして交換パッド８の挿入後において、第１平板５と第１固定対象物１０を介する板バネ９は第１平板５の表側から加圧することで第１平板５及び第１固定対象物１０に密着することになり、その密着後において蝶番４はネジ穴１１に貫通されるネジ１２により第１固定対象物１０に固定されて（ｂ）に示す様に設置が完了することになる。又、（ｂ）に示す状況においては板バネ９がバネの機能を発揮することで、隙間７に通ずる第１平板５の縁を支点にして交換パッド８が第２軸受け２を加圧することになる。なお、（ｂ）に示される１３は第２平板６と固定する第２固定対象物である。
【実施例】
【０００６】  交換パッド８及び板バネ９は一体成型により造作される他、目的の遂行に相応しい材質を接合して造作する手段が図られる。
又、図１に示す様に隙間７に窮屈に挿入される程度、つまり第２軸受け２の長さに匹敵する長さを有する中間帯域１４を交換パッド８と板バネ９の間に設けると共に、中間帯域１４に繋がる板バネ９側の両端に袖１５を設ける様にする。つまり、交換パッド８を隙間７に挿入した際に前記の様に構成した中間帯域１４及び袖１５が第１平板５に接触して交換パッド８及び板バネ９が第１平板５に対して半固定化され、これにより交換パッド８及び板バネ９の支持の補助が簡略化されることで、交換パッド８の挿入後における蝶番４の設置作業を円滑に行うことができる。
又、袖１５により板バネ９が第１平板５に設けるネジ穴１１を塞ぐことのない様に板バネ９に切れ込み１６を設ける手段が図られる。
又、蝶番４の種類により第１軸受け１及び第２軸受け２が幾重にも組み合う様な蝶番４があるが、図３に示す蝶番４を例にして蝶番４に対応した交換パッド８及び板バネ９の形状の変更を行うものである。図３における蝶番４には第２軸受け２が２つ設けられているため、２つの交換パッド８を設け、２つの交換パッド８と繋がる１つの板バネ９を設け、第１平板５と板バネ９が密着することで２つの交換パッド８が各々の第２軸受け２を加圧することになる。
又、図３においては板バネ９に切れ込み１６を設けない様にし、その代替として板バネ９にネジ１２が貫通できる穴１７を設けるものである。つまり、板バネ９に穴１７を設置する場合は交換パッド８の挿入後において、板バネ９を第１平板５の裏側に貼り付ける作業により交換パッド８が第２軸受け２を加圧することになり、第１平板５及び第１固定対象物１０の密着後においてネジ穴１１に貫通されるネジ１２により第１固定対象物１０に固定されて蝶番４の設置が完了することになる。なお、板バネ９を第１平板５の裏側に貼り付けるための粘着剤は板バネ９によるバネの復元力に勝る強力なものを使用することが適切である。
又、板バネ９を第１平板５の裏側に貼り付ける手段の代替として、板バネ９に樹脂材の様なものを採用する場合は板バネ９に爪１８を設け、図３の下方の蝶番４に表記される様に爪１８を第１平板５の表側に引っ掛けて板バネ９を第１平板５に固定し、その状態の蝶番４をネジ１２により第１固定対象物１０に固定し、その後において爪１８を切除する手段が図られる。なお、図１及び図３の下方の蝶番４においては交換パッド８の挿入後に蝶番４から露呈することになる交換パッド８及び中間帯域１４の部位を斜線で表記するものである。
【発明の効果】
【０００７】（イ）  適度に抵抗がある開閉動作機能により蓋が蓋との契合関係にある物体との衝突の抑止や緩和が図られ、又、風力の影響も抑えることができる他、蓋の開閉行為に際して重厚な感覚を呈することができる。更に、蓋の開閉途中の好みの位置で停止させる場合にもその位置の維持が容易に行える。なお、本発明の構成は家屋に設ける扉の様な規模の大きい製品や事故に繋がる懸念の製品に対しての採用を止める様にし、小物に設ける蓋等に採用を限定することが適切である。
（ロ）  汎用の蝶番４に整合する交換パッド８及び板バネ９を設計することで汎用の蝶番４に適度に抵抗がある開閉動作機能を備えることができるため、お気に入りの汎用の蝶番４を選択することができる。
（ハ）  汎用の蝶番４に適度に抵抗がある開閉動作機能を備えることで汎用の蝶番４を採用する製品の小型化や薄型化が達成できると共に、同機能を備える専用の蝶番４の製造が不要になることによる低コスト化が達成できる。
（ニ）  交換パッド８は第２軸受け２の外周に沿える円弧形状を成すために隙間７への導入や挿入を容易に行うことができる他、交換パッド８が隙間７周囲から乖離することで接触による損傷を抑止することができる。
（ホ）  交換パッド８は第２軸受け２の外周に沿える円弧形状を成すため、湾曲した交換パッド８が第２軸受け２を包む様にして加圧することができ、又、板バネ９によるバネの作用で第２軸受け２への相乗的な加圧効果が期待できる。
（ヘ）  中間帯域１４及び袖１５を設けることで交換パッド８の挿入後における第１平板５及び第１固定対象物１０の密着作業を円滑に行えるため、摩耗により劣化した交換パッド８の交換の際の効率化が図られる。
【図面の簡単な説明】
【図１】  本発明の平面図
【図２】  交換パッド８及び板バネ９の蝶番４への装着過程を示す側面図
【図３】  蝶番４に対応しての形状の変更例を示す平面図
【符号の説明】
１  第１軸受け              ２  第２軸受け          ３  軸
４  蝶番                    ５  第１平板            ６  第２平板
７  隙間                    ８  交換パッド          ９  板バネ
１０  第１固定対象物        １１  ネジ穴            １２  ネジ
１３  第２固定対象物        １４  中間帯域          １５  袖
１６  切れ込み              １７  穴                １８  爪
【図１】
2008297893.tif 000003
【図２】
2008297893.tif 000004
【図３】
2008297893.tif 000005